(57)【要約】      （修正有）【課題】縫合端で膨らみを形成せず、使用感を損なわない手袋を提供する。【解決手段】親指背部と親指面部とを有する親指部であって、親指背部には、第１辺と、仕上げ端が第１辺に連なる第２辺とを有し、親指面部には、第３辺と、仕上げ端が第３辺に連なる第４辺とを有し、第３辺の第１端と第１辺の一端との隠し縫いによって第１縫合端を形成し、第３辺の第１辺に対向する第２端が第２辺に隠し縫いで縫合されて中央部に第２縫合端を形成し、第２辺と第４辺との間が隠し縫いになっている親指部と、親指部の下端とは円周方向で積層式抑えミシン縫合になっている掌部と、縦切り式の開口であって、第１縫合端と整列し、親指穴の縁から縦方向に切断される縫合された開口とを含む。【選択図】図１
0003227131.tif 000002
【実用新案登録請求の範囲】
【請求項１】
手袋であって、
親指背部と親指面部とを有する２枚の基材を縫い合わせて形成された下端が開口し上端が閉じた管状構造の親指部であって、親指背部には、親指背部の下端を形成する第１辺と、親指部の側辺を形成し仕上げ端が第１辺に連なる第２辺とを有し、親指面部には、親指面部の下端を形成する第３辺と、親指部の側辺を形成し仕上げ端が第３辺に連なる第４辺とを有し、第３辺の第１端と第１辺の一端との隠し縫いによって第１縫合端を形成し、第３辺の第１辺に対向する第２端が第２辺に隠し縫いで縫合されて中央部に第２縫合端を形成し、第２辺と第４辺との間が隠し縫いになっている親指部と、
親指部が通る親指穴を有し、親指部の下端とは円周方向で積層式抑えミシン縫合になっている掌部と、
掌部上に設けられた縦切り式の開口であって、第１縫合端と整列し、親指穴の縁から縦方向に切断される縫合された開口とを含むことを特徴とする手袋。
【請求項２】
前記掌部の底部まで開口が延在している、
ことを特徴とする請求項１に記載の手袋。
【請求項３】
抑えミシンが２本の並行な抑えミシンとして縫合されている、
ことを特徴とする請求項１に記載の手袋。
【請求項４】
２本の並行な抑えミシンのピッチが２ｍｍであり、内側に位置する縫合糸と親指穴との最短距離が１ｍｍである、
ことを特徴とする請求項３に記載の手袋。
【請求項５】
前記掌部の底部に弾性材の手首部が縫合されている、
ことを特徴とする請求項１に記載の手袋。
【考案の詳細な説明】
【技術分野】
【０００１】
本考案は、スポーツ、レジャー、民生用、労保手袋に関し、詳しくは手袋に関する。
【背景技術】
【０００２】
手袋は、一般に、掌部と親指部の２つの部分から構成される。
【０００３】
指型が複数あり、下記の指型（本願では、以下、指型Ａで示す）に対し、親指部は、２枚の基材を縫い合わせて形成された下端が開口し上端が閉じた管状構造である。２枚の基材は、親指背部と親指面部とを有する。親指背部は、親指背部の下端を形成する第１辺と親指部の側辺を形成する第２辺とを有する。第１辺は、第２辺の仕上げ端に連なる。親指面部は、親指面部の下端を形成する第３辺と親指部の側辺を形成する第４辺とを有する。第３辺は、第４辺の仕上げ端に連なる。第３辺の第１端と第１辺の一端との隠し縫いによって第１縫合端を形成する。第３辺の第１辺に対向する第２端が第２辺に隠し縫いで縫合されて中央部に第２縫合端を形成し、第３辺と第２辺との間にノッチを形成し、第２辺と第４辺とは隠し縫いになっている。
【０００４】
指型Ａについて、従来の工程では一般的に掌部に横切り方式を採用し、すなわち掌部に１つの開口を横切り、掌部に親指部を縫着し易くする。縫合工程において、作業効率を向上させ、歩留まりを向上させるため、かつ全体的に隠し縫いによる美観性を確保するために、親指部と掌部との縫合前に、第２辺には第４辺と未縫着箇所があり、掌部にはノッチ補充部がある。ノッチ補充部の未縫着箇所に対応する一辺Ａは、未縫着箇所と予め隠し縫いを行い、親指部の底部と掌部との縫合を行う。この隠し縫い工程では、ノッチ補充部の一辺Ａの上端が、第２辺と第４辺との間に置かれるようにして縫製され、すなわち前記の第２縫合端となる。したがって、隠し縫いによる第２縫合端は、３層基材で縫合される。この縫合方式は、柔軟で弾性、薄手（厚さの範囲≦０．７ｍｍ）の基材に対しては、出来上がった手袋が通常の使用に支障をきたさないようにする一方、柔軟不良で弾性不良で偏肉（厚さの範囲≧０．５５ｍｍ）の基材に対しては、膨らみができて手に接触感覚を与え、使用感を損ねる。
【考案の概要】
【考案が解決しようとする課題】
【０００５】
本考案は、従来技術の指型Ａタイプの手袋が有する手に接触感覚を与える問題に対処し、縦切り開口のデザインと、掌部と親指部下端の積層式抑えミシン縫合デザインにより、任意の厚さの基材に関わらず、生産された手袋が第１縫合端で膨らみを形成せず、使用感を損なわない手袋を提供する。
【課題を解決するための手段】
【０００６】
上記の目的を実現するために、本考案は、以下の手袋を提供する。当該手袋は、親指背部と親指面部とを有する２枚の基材を縫い合わせて形成された下端が開口し上端が閉じた管状構造の親指部であって、親指背部には、親指背部の下端を形成する第１辺と、親指部の側辺を形成し仕上げ端が第１辺に連なる第２辺とを有し、親指面部には、親指面部の下端を形成する第３辺と、親指部の側辺を形成し仕上げ端が第３辺に連なる第４辺とを有し、第３辺の第１端と第１辺の一端との隠し縫いによって第１縫合端を形成し、第３辺の第１辺に対向する第２端が第２辺に隠し縫いで縫合されて中央部に第２縫合端を形成し、第２辺と第４辺との間が隠し縫いになっている親指部と、親指部が通る親指穴を有し、親指部の下端とは円周方向で積層式抑えミシン縫合になっている掌部と、掌部上に設けられた縦切り式の開口であって、第１縫合端と整列し、親指穴の縁から縦方向に切断される縫合された開口とを含む。
【０００７】
上記考案において、開口は、前記掌部の底部まで延びていることが好ましい。
【０００８】
上記考案において、抑えミシンは、２本の並行な抑えミシンとして縫合されていることが好ましい。
【０００９】
上記考案において、２本の並行な抑えミシンのピッチが２ｍｍであり、内側に位置する縫合糸と親指の穴との最短距離が１ｍｍであることが好ましい。
【００１０】
上記考案において、前記掌部の底部に弾性材の手首部が縫着されていることが好ましい。
【考案の効果】
【００１１】
従来技術と比較して、本考案の有益な効果は以下の通りである。
１．指型Ａについては、縦切り開口のデザインと、掌部と親指部下端との積層式抑えミシン縫合デザインにより、任意の厚さの基材であっても、生成された手袋の第１縫合端に膨らみを形成することなく、使用感を損なうことがない。
２．開口が長いほど延伸量が大きくなり、平らにしてまっすぐにすることに有利である。
３．抑えミシンが２本の並行な抑えミシンとして縫合され、縫合後の手袋の使い勝手がよい。
【図面の簡単な説明】
【００１２】
【図１】本考案の構造を示す模式図である。
【図２】親指背部の構造を示す模式図である。
【図３】親指面部の構造を示す模式図である。
【図４】親指部の構造を示す模式図である。
【考案を実施するための形態】
【００１３】
本考案の実施例における技術的解決策を、本考案の実施例における図面と併せて、明確且つ完全に説明するが、記載された実施例は、本考案の一部の実施例に過ぎず、全ての実施例ではないことは明らかである。本考案の実施例に基づいて、当業者が創造的な労働をすることなく得られる全ての他の実施例は、本考案の保護範囲に属する。
【００１４】
なお、番号５は、背景技術における一辺Ａを示す。
【００１５】
図１〜４に示すように、手袋は、親指部と、掌部と、縫合された開口とを含む。親指部は、親指背部１と親指面部２とを有する２枚の基材を縫い合わせて形成された下端が開口し上端が閉じた管状構造の親指部である。親指背部には、親指背部の下端を形成する第１辺１２と、親指部の側辺を形成し仕上げ端が第１辺に連なる第２辺１１とを有する。親指面部には、親指面部の下端を形成する第３辺２１と、親指部の側辺を形成し仕上げ端が第３辺に連なる第４辺２２とを有する。第３辺の第１端２１１と第１辺の一端との隠し縫いによって第１縫合端３を形成し、第３辺の第１辺に対向する第２端２１２が第２辺に隠し縫いで縫合されて中央部に第２縫合端４を形成し、第２辺と第４辺との間が隠し縫いになっている。掌部は、親指部が通る親指穴を有し、親指部の下端とは円周方向で積層式抑えミシン縫合になっている。縫合された開口は、掌部上に設けられた縦切り式の開口であって、第１縫合端と整列し、親指穴の縁から縦方向に切断される。
【００１６】
上記の解決策において、指型Ａについて、縦切り開口のデザインと、掌部と親指部下端の積層式抑えミシン縫合デザインにより、任意の厚さの基材に関わらず、生産された手袋が第１縫合端で膨らみを形成せず、手に接触感覚を与えず、使用感を損なわない。
【００１７】
このうち、親指背部、親指面部を構成する基材は、少なくとも１枚の材料からなる。
【００１８】
前記掌部の底部まで開口が延在している。開口が長いほど縫合しやすく延伸量が大きくなり、平らにしてまっすぐにすることに有利である。
【００１９】
抑えミシンが２本の並行な抑えミシンとして縫合されている。縫合後の手袋の使い勝手がよい。
【００２０】
２本の並行な抑えミシンのピッチは２ｍｍであり、内側に位置する縫合糸と親指穴との最短距離は１ｍｍである。
【００２１】
上記の解決策において、前記掌部の底部に弾性材の手首部が縫着されていることが好ましい。
【００２２】
本考案は、上記の例示的な実施例の詳細に限定されず、本考案の精神又は基本的特徴から逸脱することなく、他の具体的な形態で実現できることは、当業者にとって明らかである。したがって、いずれの点からも、実施例は、例示的なものであり、非限定的なものとして見なされるべきであり、本考案の範囲は、上述の説明ではなく添付の特許請求の範囲によって定義され、特許請求の範囲の均等物の意味及び範囲内に入る全ての変更は、本考案内に含まれることが意図される。請求項における任意の参照符号は、対象とする請求項を限定するものとみなされるべきではない。
【図１】
0003227131.tif 000003
【図２】
0003227131.tif 000004
【図３】
0003227131.tif 000005
【図４】
0003227131.tif 000006